(57)【特許請求の範囲】
【請求項１】
首部分を少なくとも一部捲回する鉤状部とこの鉤状部に連接し、胴方向に伸長する胸部を有する二つの気嚢の前記鉤状部を正対称となるように重ね合わせて接続することにより構成される救命具において、前記気嚢の鉤状部と胸部の連接部は容易に折曲可能なように細くなっているとともに、一方の気嚢の前記鉤状部と他方の気嚢の前記胸部の連結部はこの連接部に形成されており、かつ前記連結部および連接部は装着者の肩に当接する部分になっているとともに、前記鉤状部のうち前記胸部に連接する側の連接肩部よりもこれと対向する対向肩部の容量を大きくしたことを特徴とする救命具。
【請求項２】
前記鉤状部の重なり合う部分の少なくとも一部にカバーを被せ、膨張の大きさを制限したことを特徴とする請求項１記載の救命具。
【請求項３】
前記胸部の内側辺の少なくとも一部が装着者の中心線よりも反対方向に突出していることを特徴とする請求項１または２記載のいずれかの救命具。
【請求項４】
前記胸部の裏面の一部で、若干の余裕をもつように固定片を介して、救命具を装着するための装着治具に気嚢が固定されていることを特徴とする請求項３記載の救命具。
【発明の詳細な説明】
【０００１】
【発明の技術分野】
本発明は救命具、さらに詳細には二以上の気嚢を有する救命具において、装着者の作業性の良好で、かつ不必要に頭部を前方に押圧しない救命具に関する。
【０００２】
【従来技術】
救命具本体１は、たとえば図６に二つの気嚢１、２の分解図、図７に二つの気嚢を合わせて膨張した図を示すように、鉤状の二つの気嚢１、２により構成され、前記気嚢１、２はそれぞれ胸部１１、２１とこれに連設された鉤状部１２、２２を有している。そして前記鉤状部１２、２２を重ね合わせて一体化することによって首掛け状の救命具としている。この救命具本体は胸部１１、２１に設けられた圧縮気体ボンベ３に接続されており、前記ボンベ３中の圧縮気体がそれぞれの気嚢１、２に注入され、膨張するようになっている。なお、４は圧縮気体ボンベが、何らかの理由により作動しない場合に、装着者が空気を吹き込むための補助送気管である（実開平６−１１９３号参照）。このように気嚢１、２が別体で構成されているのは、万が一、どちらかの気嚢が膨張しない場合においても、救命具の装着者を安全に浮遊させておくためである。
【０００３】
【発明が解決する問題点】
このような救命具本体は、従来実開平６−１１９３号に示すように、気嚢１および気嚢２の鉤状部１２、２２は基本的に左右対称であって相互にぴったりと重なり合うような形状をしていた。このような救命具の装着者の肩に当接する部分は気嚢１および気嚢２の鉤状部１２、２２が重なり合って二重になっており、さらに一般的には上記鉤状部の枕部分１２１、２２１と同じ太さか若干細い径になっている。
【０００４】
上述のような救命具は、気体を注入したとき、図６、図７に示すように直線状になる構造を有しているため、肩に当接する部分が太く、かつ二重になっていると、前記部分に多くの気体が注入されるために頭部Ｈを前方に強く押圧することになり（図７参照）、装着者の疲労を誘発するとともに、頭部Ｈを前傾させすぎて、水面と口との距離を小さくする欠点があった。
【０００５】
本発明は上述の問題点に鑑みなされたものであり、気嚢に気体が注入され、気嚢が膨張したときに、肩に当接する部分が折曲しやすく、したがって頭部を大きな力で前方に押圧しない救命具を提供することを目的とする。
【０００６】
【問題点を解決するための手段】
上記問題点を解決するため、本発明による救命具は、首部分を少なくとも一部捲回する鉤状部とこの鉤状部に連接し、胴方向に伸長する胸部を有する二つの気嚢の前記鉤状部を正対称となるように重ね合わせて接続することにより構成される救命具において、前記気嚢の鉤状部と胸部の連接部は容易に折曲可能なように細くなっているとともに、一方の気嚢の前記鉤状部と他方の気嚢の前記胸部の連結部はこの連接部に形成されており、かつ前記連結部および連接部は装着者の肩に当接する部分になっているとともに、前記鉤状部のうち前記胸部に連接する側の連接肩部よりもこれと対向する対向肩部の容量を大きくしたことを特徴とする。
【０００７】
【実施例】
図１は本発明の救命具の分解正面図であり、図２は気嚢１および２を組み合わせた図であるが、図より明らかなように、救命具は鉤状の二つの気嚢１、２により構成され、前記気嚢１、２はそれぞれ胸部１１、２１とこれに連設された鉤状部１２、２２を有している。そして前記鉤状部１２、２２を重ね合わせて一体化することによって首掛け状の救命具としている。鉤状部１２、２２は一部が装着者の首部分を捲回し、水面上で枕となる枕部分１２１、２２１を有している。加えて、一方の気嚢１、２の鉤状部１２、２２の先端と、他方の気嚢２、１の胸部２１、１１と連結した連結部Ａを構成している。さらに、前記気嚢１、２はそれぞれの胸部１１、２１と鉤状部１２、２２との間に連接部Ｂを有している。そして前記二つの気嚢１、２を連結するための連結部Ａはこの連接部Ｂに形成されている。
【０００８】
さらに前記鉤状部１２、２２の重なり合った部分、すなわち枕部分１２１、２２１は図３に示すように、カバー５によって覆われている。このカバー５は枕部分１２１、２２１が膨張したときに、枕部分１２１、２２１の大きさ（容積）が大きくなりすぎて、装着者の頭部Ｈを前方に不必要に押圧しないように設けられている。すなわち、二つの気嚢１、２の両方が膨張したときにおいても、気嚢１、２の一方のみしか膨張しなかった場合においても、同じ大きさになるように、カバー５によって膨張が抑制されるようになっている。このように枕部分１２１、２２１の膨張容積を制限することによって、前述のように頭部Ｈを不必要に前方に押圧しないようになっている。
【０００９】
このような構造の救命具において、本発明においては、上記連結部Ａ（および連接部Ｂ）は装着者の肩に当接する部分に設けられている。このため肩に当接する部分である連結部Ａ（連接部Ｂ）は、従来のように気嚢１、２が、少なくとも装着者の前方においては重なり合っておらず、一重になっている。さらに上述のように連接部Ｂは、従来に比較して十分細くなっているため、気嚢１、２に気体が注入されて膨張したときにおいても、頭部Ｈを前方に傾斜させる力は弱くなっており、さらにカバー５を設けて枕部分１２１、２２１の大きさを制限することと相まって、不必要に頭部Ｈを前方に傾斜させることはない。また救命具を装着して作業する場合（気嚢に気体注入以前の状態）、肩部分に当接する部分は一重であるため、折曲しやすく、作業性も良好であるという利点がある。
【００１０】
この実施例においては前記気嚢１、２の鉤状部１２、２２の形状は左右対称ではなく、気嚢１、２のそれぞれの胸部１１、２１に連接する連接肩部１２２、２２２よりもこれと対向する反対側の対向肩部１２３、２２３の方が大きくなっている。すなわち図２に示すように二つの気嚢１、２を重ね合わせたときに、対向肩部１２３、２２３が一部はみ出すような構成になっている。
【００１１】
このように構成することによって、一方の気嚢１または２が、何らかの理由によって膨張しないときに、膨張しない気嚢側の鉤状部の肩部が大きな容量であるため、頭部を支える浮力は左右均等になり、頭部を真上に向かせて装着者を保持できるという効果がある（図５参照）。
【００１２】
またこの実施例においては前記胸部１１、２１の内側辺１１１、２１１の少なくとも一部は救命具の中心線Ｃより、反対方向（すなわち他方の気嚢方向）に突出した構造になっている。このように構成することによって、気嚢１、２が膨張していないときには、それぞれの内側辺１１１、２１１は相互に重なり合うようになっている。
【００１３】
救命具は、一般的に包装袋中に収納されており、緊急時に前記包装袋から取り出されて膨張するような構造になっている。そして、装着治具は一般的に前記包装袋とこの包装袋を装着者に装着固定するベルトを有しており、前記包装袋ごとベルトなどによって救命具を装着するようになっている。気嚢１、２は、従来この包装袋内にほぼ全面に渡って固定されていたが、本発明においては、気嚢１、２は図１に示すように、胸部分１１、２１の一部において、包装袋に固定されている。そして前記固定部は、装着治具に密着して固定されているのではなく、固定片１１２、２１２を介して若干余裕が形成されるように固定されている（図４参照）。
【００１４】
膨張時においては、従来と異なり気嚢１、２の胸部分１１、２１の内側辺１１１、２１１は相互に干渉しあうことになり、図４に示すように装着者前方方向に、そして中心線Ｃを頂点として若干傾斜することになる。このとき、上述のように気嚢１、２が包装袋（装着用治具）に胸部１１、２１の一部分において、若干余裕を有して（固定片１１２、２１２を介して）固定されている場合、容易に図４に示すような傾斜状態になる。
【００１５】
一方の気嚢１、２のうちの、たとえば気嚢２が膨張しないときには、気嚢１の胸部分１１の内側部分１１１は中心線Ｃを超えて膨張しているため、前記胸部分１１は中心線Ｃの方向に力が負荷されることになり、ほぼ装着者の中央に前記胸部１１が移動することになる（図４参照）。この場合も、気嚢の固定部が、若干余裕を有し、かつ一部分でのみ固定されていると移動しやすくなるのは明らかである。このように胸部１１が中央に移動することによって、装着者は水面上で真上を向くことが可能になるという利点がある。一方、頭部Ｈは前述のように膨張しない気嚢２側の鉤状部１２の肩部１２２が大きな容量であるため、頭部Ｈを支える浮力は左右均等になり、頭部Ｈを真上に向かせて装着者を保持できるという効果がある。
【００１６】
【発明の効果】
以上説明したように、本発明の救命具においては、肩に当接する部分である連結部Ａ（連接部Ｂ）は、従来のように気嚢が、少なくとも装着者の前方においては重なり合っておらず、一重になっている。さらに上述のように連接部Ｂは、従来に比較して十分細くなっているため、気嚢に気体が注入されて膨張したときにおいても、頭部Ｈを前方に傾斜させる力は弱くなっており、また、カバーを被せて枕部分の容積を制限しているため、不必要に頭部Ｈを前方に傾斜させることはない。また救命具を装着して作業する場合（気嚢に気体注入以前の状態）、肩部分に当接する部分は一重であるため、折曲しやすく、作業性も良好であるという利点がある。
【図面の簡単な説明】
【図１】本発明の救命具に使用される気嚢の背面図。
【図２】本発明の救命具の正面図。
【図３】本発明の救命具の使用状態を示す側面図。
【図４】本発明の救命具の平面図。
【図５】本発明の救命具の一方の気嚢が膨張しなかったときの状態を示す平面図。
【図６】従来の救命具に使用される気嚢の正面図。
【図７】従来の救命具が膨張したときの正面図。
【図８】従来の救命具を膨張させた時の側面図
【符号の説明】
１            気嚢
２            気嚢
１１          胸部
２１          胸部
Ａ            連結部
Ｂ            連接部
１１１          内側辺
２１１          内側辺
１１２          固定片
２１２          固定片
１２２          連接肩部
１２３          対向肩部
２２２          連接肩部
２２３          対向肩部
【図１】
0004038260.tif 000002
【図２】
0004038260.tif 000003
【図３】
0004038260.tif 000004
【図４】
0004038260.tif 000005
【図５】
0004038260.tif 000006
【図６】
0004038260.tif 000007
【図７】
0004038260.tif 000008
【図８】
0004038260.tif 000009